(57)【要約】【課題】端子台を破壊することなく容易に電線解除ができる電線接続装置を提供する。【解決手段】電線接続装置は開口５を有する箱形のボディ１と、開口５を塞ぐカバー２とを有する。速結端子１２はボディ１およびカバー２で囲まれた内部に収納された電線鎖錠用の鎖錠部１２ａを有する。解除ボタン２０は鎖錠部１２ａを押圧して鎖錠部１２ａに鎖錠された電線１１を解除する。そして、鎖錠部１２ａに電線１１を鎖錠させるための電線挿入穴８をボディ１の開口５を形成する周壁４とカバー２の合わせ面１４に形成している。解除ボタン２０を挿通する解除ボタン用穴１０を周壁４のカバー２より離れた位置に形成している。【選択図】        図１
2006120556.tif 000002
【特許請求の範囲】
【請求項１】
開口を有する箱形のボディと、前記開口を塞ぐカバーと、前記ボディおよび前記カバーで囲まれた内部に収納された電線鎖錠用の鎖錠部を有する速結端子と、前記鎖錠部を押圧して前記鎖錠部に鎖錠された電線を解除する解除ボタンとを備え、前記鎖錠部に電線を鎖錠させるための電線挿入穴を前記ボディの開口を形成する周壁と前記カバーの合わせ面に形成し、前記解除ボタンを挿通する解除ボタン用穴を前記周壁の前記カバーより離れた位置に形成した電線接続装置。
【請求項２】
前記解除ボタンは頭部と脚部から形成され、前記周壁に前記頭部が嵌まる凹部を形成し、前記解除ボタン用穴は前記凹部の底部に形成されて前記脚部が挿通される請求項１記載の電線接続装置。
【請求項３】
前記速結端子は前記鎖錠部に対向して前記鎖錠部との間に電線を挾む受け部を有し、前記解除ボタン用穴の内端側の縁部は前記受け部の前記鎖錠部と反対側を支持する請求項２記載の電線接続装置。
【発明の詳細な説明】
【技術分野】
【０００１】
この発明は、プリント基板に実装されプリント基板への電線接続を可能とするプリント基板用端子台等の電線接続装置に関するものである。
【背景技術】
【０００２】
従来から、箱状の樹脂ボディの側面開口をカバーで閉じ、ボディのカバーと反対側に別のボディを重ね、各ボディの内部に速結端子を収納して複数の端子数をもつプリント基板用端子台があった。このプリント基板用端子台において、ボディが３．５ｍｍ以下の狭ピッチのプリント基板用端子台の場合、幅が狭いため、図１１に示すように電線挿入穴１００をボディ１０１の周壁のカバー１０２から離れた奥寄りの位置に設け、速結端子の鎖錠部１０３を解除動作するための解除ボタン１０７を挿通する解除ボタン用穴１０８をボディ１０１とカバー１０２の合わせ面１０４に形成し、鎖錠部１０３の電線鎖錠部分と解除ボタン押圧部分とを鎖錠部１０３上に幅方向に並べて形成している。１０５は鎖錠部１０３に押圧される電線１０６を受ける速結端子の受け部である。ボディ１０１はカバー１０２と反対側の面にカバー１０２と同じ構成を有してカバー１０２の機能を果たし、このボディ１０１に対して別のボディ１０１ａが組み合わされている。
【０００３】
別の従来例として、電線挿入穴１００をボディ１０１とカバー１０２の合わせ面に形成し、解除ボタン１０７が周壁のカバー１０２と反対側となるように解除ボタン１０７を挿通する切欠をカバー１０２側に開くように形成したものもあった（特許文献１、２参照）。
【特許文献１】特開２００２−３２９５３４
【特許文献２】特開２００２−３２４５９８
【発明の開示】
【発明が解決しようとする課題】
【０００４】
しかしながら、解除ボタン１０７の押し込み操作にドライバーなどの解除用治具を使用するとき、解除ボタン１０７は小さく押し辛いため、矢印のように斜めに押されることがあり、このためボディ１０１とカバー１０２の連結を外す方向に力が加わり、ボディ１０１とカバー１０２が外れ、端子台を破壊することとなる可能性があった。
【０００５】
したがって、この発明は、端子台を破壊することなく容易に電線解除ができる電線接続装置を提供することである。
【課題を解決するための手段】
【０００６】
この発明の電線接続装置は、開口を有する箱形のボディと、前記開口を塞ぐカバーとを有する。速結端子は前記ボディおよび前記カバーで囲まれた内部に収納された電線鎖錠用の鎖錠部を有する。解除ボタンは前記鎖錠部を押圧して前記鎖錠部に鎖錠された電線を解除する。そして、前記鎖錠部に電線を鎖錠させるための電線挿入穴を前記ボディの開口を形成する周壁と前記カバーの合わせ面に形成している。前記解除ボタンを挿通する解除ボタン用穴を前記周壁の前記カバーより離れた位置に形成している。
【０００７】
上記構成において、前記解除ボタンは頭部と脚部から形成され、前記周壁に前記頭部が嵌まる凹部を形成し、前記解除ボタン用穴は前記凹部の底部に形成されて前記脚部が挿通される。
【０００８】
上記構成において、前記速結端子は前記鎖錠部に対向して前記鎖錠部との間に電線を挾む受け部を有し、前記解除ボタン用穴の内端側の縁部は前記受け部の前記鎖錠部と反対側を支持する。
【発明の効果】
【０００９】
この発明の電線接続装置によれば、切欠ではなく解除ボタン用穴をボディに形成したため、ドライバー等の解除治具で解除ボタンを斜めに押すことがあってもカバーに直接力が加えられないので、カバーが外れることがなく、したがって端子台を破壊することなく、容易に電線を解除できる。解錠ボタン用穴が解除ボタンのほぼ全周の摺動ガイドとなるため、解除ボタンが傾くことがなくなり、スムースな操作が可能である。
【００１０】
ボディに凹部を形成し、凹部の底部に解除ボタン用穴を形成すると、解除ボタンの頭部を大きくでき、ドライバー等の治具で解除ボタンを操作しやすい反面、頭部および操作性を維持したままで端子台の小型化を図れる。頭部が凹部の底部に当たることにより解除ボタンの押し込み防止ができる。
【００１１】
受け部を解除ボタン用穴の内端縁部で受けると、受け部の一端が解除ボタンの頭部側にたわむ量を規制できるので電線を速結する際に受け部が変形することがなく、電線保持力が強まる。
【発明を実施するための最良の形態】
【００１２】
この発明の一実施の形態のプリント基板用端子台を図１から図１０に示す。すなわち、このプリント基板用端子台は、ボディ１と、カバー２とで端子台の外殻を形成している。ボディ１は端壁１３と端壁１３の周囲に立設されて開口５を形成する周壁４とを有する箱形をなし、ボディ１の開口５をカバー２で閉じる構成としている。ボディ１の周壁４の開口側の３箇所に爪６を突出し、カバー２に爪６に係止する係止孔７を形成し、カバー２をボディ１に合わせることにより爪６を係止孔７に係止して連結している。９は位置決め突起であり、カバー２に設けた位置決め穴９ａないし位置決め凹部（図示せず）に嵌合する。
【００１３】
電線挿入穴８はボディ１とカバー２の合わせ面１４に形成されている。すなわち、周壁４のボディ１のコーナ部の１つに電線挿入用切欠８ａを開口５に開くように形成し、電線挿入方向はボディ１の対角線となる方向に傾斜している。これに対向してカバー２にも切欠８ｂを形成し、切欠８ａ、８ｂにより電線挿入穴８を形成している。電線挿入穴８の外端は電線１１の電線被覆１１ａが挿入できる径に形成し、内端は心線１１ｂを通すことができる径にし、かつ、心線１１ｂを通す部分はボディ１の周壁４の幅方向の半分程度以下の径で開口５側すなわちカバー２側に位置している。
【００１４】
ボディ１の周壁４の電線挿入用切欠８ａのある上面は略中央に凹部１５を開口５側に開く切欠により形成し、上面の電線挿入用切欠８ａと反対側に上面より低い段差部１６を形成している。速結端子１２の鎖錠部１２ａを解除する解除ボタン用穴１０は凹部１５の底部１５ａにボディ１の周壁４の幅方向の約半分程度以下の幅で端壁１３寄りの位置すなわち開口５より奥寄りのカバー２より離れた位置に、上面に対し垂直方向に、かつ合わせ面１４に略平行な角穴により形成している。この場合、凹部１５の底部１５ａは電線挿入穴８より挿通される電線１１に対向する部分であり、底部１５ａは電線１１の挿入方向すなわちボディ１の対角線の方向に略平行に形成している。凹部１５の切欠の開き口はカバー２で閉じられる。
【００１５】
速結端子１２は、導電板の両端を相接近する方向に折り返し部１７ａ、１７ｂにより折り返して略ループ状をなすように曲げた形状をなし、その一端が他端よりも外側に延び、一端の他端側表面を心線１１ｂに接触する受け部１２ｂとし、他端の先端を心線１１ｂに食い込むとともに心線１１ｂを受け部１２ｂに押しつける鎖錠部１２ａとしている。また導電板の中間部より外方にリード１２ｃを折曲している。速結端子１２はボディ１内に収納されるとき、その折り返し部１７ａ、１７ｂがボディ１の位置決め部１８ａ、１８ｂで位置決めされるとともに、リード１２ｃが周壁４に形成した貫通用切欠１９より外部に突出する。貫通用切欠１９の開き口はカバー２により閉じられる。ここで、受け部１２ｂは、鎖錠部１２ａと反対側が解除ボタン用穴１０の内端側の縁部に支持される。すなわち、受け部１２ｂは周壁４の幅の約半分の幅で開口５側の凹部１５の底部１５ａの下面に当接し、鎖錠部１２ａは周壁４の幅に略等しく、かつ電線挿入孔８に臨む。したがって、電線１１を電線挿入穴８に挿入すると電線１１の心線１１ｂがカバー２寄りの位置を受け部１２ｂに沿って進入し、鎖錠部１２ａを押して撓ませながら鎖錠部１２ａを通り抜ける。鎖錠部１２ａの押圧力で心線１１ｂが受け部１２ｂに押付けられて接触状態となる。一方電線１１を抜く方向に引くと鎖錠部１２ａが食い込むことにより抜止め係止される。また受け部１２ｂに加わる押圧力は凹部１５の底部１５ａの表面で支持される。解除ボタン用穴１０が従来のように開口５側に開く切欠により形成された場合、凹部１５の底部１５ａがないので受け部１２ｂは支持されるものがなく電線１１に押されて変形するおそれがあり、電線１１との接触が不安定になりやすい。
【００１６】
解除ボタン２０は、頭部２０ａと頭部２０ａより小さい断面の脚部２０ｂからなる。頭部２０ａは凹部１５に嵌まる大きさであり、脚部２０ｂは電線ボタン用穴１０に挿通しうる大きさである。解除ボタン２０の抜止めのため脚部２０ｂの先端の一側面と頭部２０ａの付根の他側面に互いに反対向きに突起２１を設け、これらが凹部１５の内側面に設けた係止部２２および解除ボタン用孔１０の孔縁に係止する。また解除ボタン２０の端壁１３側の側面に解除ボタン２０の移動方向に延びた溝２３を形成し、これに対応してボディ１の端壁１３にガイド突起２４を設けている。解除ボタン２０の上面には解除治具である例えばドライバの先が係合する溝２５を形成している。頭部２０ａの下面２０ｃを凹部１５の底部１５ａと平行になるように傾斜させており、頭部２０ａの下面２０ｃが凹部１５の底部１５ａに当接して押し込み量が規制される。脚部２０ｂの先端は鎖錠部１２ａの先端の開口５から奥寄りのカバー２より離れた位置に載った状態に支持される。したがって、鎖錠部１２ａの先端に電線鎖錠部分と解除ボタン押圧部分とが幅方向に並ぶこととなる。またこの状態で頭部２０ａは周壁４の上面４ａとほぼ面一となり、頭部２０ａを押し込んだとき頭部２０ａは周壁４の段差部１６の高さ程度となる。ドライバ等で解除ボタン２０の頭部２０ａを押し込むと、脚部２０ｂの先端で鎖錠部１２ａを押し、鎖錠部１２ａが電線１１から離れるので電線１１を引き抜くことができるが、解除ボタン２０は切欠ではなく孔形成された解除ボタン用穴１０により支持されるため、解除ボタン２０に傾斜方向の力が加わっても傾きにくく、しかもカバー２に力が加わらないので、カバー２がボディ１から外れることが防止される。
【００１７】
つぎにボディ１はカバー２と反対側の面をカバー２と同じ構成にし、ボディ１ａをボディ１のカバー２と反対側に重ね合わせている。ボディ１ａをボディ１と同様な構造にすると、ボディ１ａにさらに別のボディを重ねることができる。この場合、各ボディ１、１ａからのリード１２ｃの突出位置は千鳥配置となるように２つの貫通用切欠１９の異なるものを通るようにしている。
【００１８】
図１０は上記実施の形態の端子台３３の使用状態を示している。下ケース３０にプリント基板３１が設置され、電子部品３２とともに端子台３３がプリント基板３１のコーナの一対角位置に、それぞれ端子台３３より突出したリードをプリント基板３１のスルーホールに挿通しプリント基板３１の裏面で半田付けされて接続される。３４は上ケースである。
【図面の簡単な説明】
【００１９】
【図１】この発明の一実施の形態の分解斜視図である。
【図２】解除ボタンを外したボディの拡大斜視図である。
【図３】解除ボタンを外したボディの平面図である。
【図４】解除ボタンのある状態のボディの平面図である。
【図５】カバーを外し速結端子のない状態のボディの斜視図である。
【図６】カバーを外し速結端子のある状態のボディの斜視図である。
【図７】（ａ）は電線を挿入しない状態のボディのカバー側からみた正面図、（ｂ）は電線を挿入した状態を想像線で示す正面図である。
【図８】解除ボタンを押し込んだ状態のボディの正面図である。
【図９】全体の外観斜視図である。
【図１０】プリント基板用端子台を、電子部品を実装したプリント基板に実装した状態の斜視図である。
【図１１】（ａ）は従来例の斜視図、（ｂ）は平面図、（ｃ）は断面図である。
【符号の説明】
【００２０】
１    ボディ
２    カバー
４    周壁
５    開口
８    電線挿入穴
１０    解除ボタン用穴
１１    電線
１２    速結端子
１２ａ  鎖錠部
１２ｂ  受け部
１４    合わせ面
１５    凹部
１５ａ  底部
２０    解除ボタン
２０ａ  頭部
２０ｂ  脚部
【図１】
2006120556.tif 000003
【図２】
2006120556.tif 000004
【図３】
2006120556.tif 000005
【図４】
2006120556.tif 000006
【図５】
2006120556.tif 000007
【図６】
2006120556.tif 000008
【図７】
2006120556.tif 000009
【図８】
2006120556.tif 000010
【図９】
2006120556.tif 000011
【図１０】
2006120556.tif 000012
【図１１】
2006120556.tif 000013